(57)【要約】  【課題】  樹脂製のグローブの上端面と金属製の本体の下面とが接触しにくいようにして異音を低減する。  【解決手段】  金属製の本体１の下面に取り付けた樹脂製のグローブ受け具２、３を介して樹脂製のグローブ４を支持する照明器具であって、前記グローブ受け具２、３に前記本体１の面に沿う方向の延長片５、６を形成するとともに、この延長片５、６を前記本体１に形成した孔７、８に収め、前記グローブ４の上端面を前記延長片５、６の下面に優先的に接触可能とした照明器具である。すなわち、延長片５、６の下面は本体１の下面よりわずかに低い位置にある。【選択図】  図４
2005038732.tif 000002
【特許請求の範囲】
【請求項１】
金属製の本体の下面に取り付けた樹脂製のグローブ受け具を介して樹脂製のグローブを支持する照明器具であって、前記グローブ受け具に前記本体の面に沿う方向の延長片を形成するとともに、この延長片を前記本体に形成した孔に収め、前記グローブの上端面を前記延長片の下面に優先的に接触可能とした照明器具。
【請求項２】
金属製の本体の下面に取り付けた樹脂製のグローブ受け具を介して樹脂製のグローブを支持する照明器具であって、前記グローブ受け具に前記本体の下面に沿う延長片を形成し、前記グローブの上端面を前記延長片の下面に優先的に接触可能とした照明器具。
【発明の詳細な説明】
【技術分野】
【０００１】
本発明は、異音の発生を低減した照明器具に関する。
【背景技術】
【０００２】
照明器具ではランプ点灯直後と消灯直後は内部温度変化が激しいため、照明器具を構成する比較的大きな金属部と樹脂部とが接していると、それらの熱膨張率の大きな違いに基づく異音(きしみ音、弾発音)が発生しやすい。このため、本体の下面に取り付けた金属製のグローブ受け具を介して樹脂製のグローブを支持することを止めて、グローブ受け具として樹脂製のものを用いることが多くなってきた。例えば、特許文献１に樹脂製のグローブ受け具が開示されている。(ただし、この特許文献１では異音については触れられていない。)
【特許文献１】特開２０００−３５３４１９号公報
【発明の開示】
【発明が解決しようとする課題】
【０００３】
しかし、本体を金属製とすることは強度や焼損防止などの観点から必要であるため、グローブの上端面と本体の下面との接触に基づく異音が未だ解決されていないということに着目されるべきである。これを回避するには、グローブの上端面と本体の下面とを接触せずに間隔を空けてもよいが、小昆虫類が内部に侵入しやすくなる。そこで、本発明はこのような解決すべき課題を鑑み、樹脂製のグローブの上端面と金属製の本体の下面とが接触しにくいようにして異音を低減することを目的とする。
【課題を解決するための手段】
【０００４】
本発明を要約すると、金属製の本体の下面に取り付けた樹脂製のグローブ受け具を介して樹脂製のグローブを支持する照明器具であって、前記グローブ受け具に前記本体の面に沿う方向の延長片を形成するとともに、この延長片を前記本体に形成した孔に収め、前記グローブの上端面を前記延長片の下面に優先的に接触可能とした照明器具である。また、他の本発明として、金属製の本体の下面に取り付けた樹脂製のグローブ受け具を介して樹脂製のグローブを支持する照明器具であって、前記グローブ受け具に前記本体の下面に沿う延長片を形成し、前記グローブの上端面を前記延長片の下面に優先的に接触可能とした照明器具でもよい。
【発明の効果】
【０００５】
本発明によれば、樹脂製のグローブの上端面を樹脂製のグローブ受け具に形成した延長片の下面に優先的に接触可能としたことにより、異音を低減することができる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図１〜５に示す実施形態は、金属製の本体１の下面に取り付けた樹脂製のグローブ受け具２、３を介して樹脂製のグローブ４を支持する照明器具であって、前記グローブ受け具２、３に前記本体１の面に沿う方向の延長片５、６を形成するとともに、この延長片５、６を前記本体１に形成した孔７、８に収め、前記グローブ４の上端面を前記延長片５、６の下面に優先的に接触可能とした照明器具である。すなわち、延長片５、６の下面は本体１の下面よりわずかに低い位置にある。なお、グローブ４の材質としてはアクリル樹脂、ポリエチレン樹脂、スチロール樹脂など、グローブ受け具２、３の材質としてはポリプロピレン樹脂、ポリエチレン樹脂などを用いる。また、本体１には樹脂コート鉄板、樹脂コートアルミニウム板などを用いる。
【０００８】
さらに詳述すれば、本体１は住宅の室内天井に設置され、その下面には図示されないランプや点灯装置などが設けられる。グローブ受け具２とグローブ受け具３は各々、本体１の下面外周付近に交互に複数個使用される。グローブ受け具２はその背面側基部がビス９で本体１に固定されるが、その際、一端にある係止部１０が本体１の係止孔１１に係止された状態で固定されている。グローブ受け具２は大略、受け部としての低段部１２と高段部１３を有し、グローブ４の開口縁に形成した凸部１４は、低段部１２の始端にある落下防止用小突起１５を乗り越えて低段部１２の上方に導入されてから、低段部１２の終端から続く傾斜部１６を経て高段部１３に送り込まれて係止取り付けされる。
【０００９】
グローブ受け具３は前記高段部１３に略相当する高さの受け部１７を有し、グローブ４の凸部１４が回転導入されて受け部１７にて係止される。また、グローブ受け具３は、その背面側基部がビス１８で本体１に固定されて本体１に取り付けられている。
【００１０】
この実施形態によれば、樹脂製のグローブ４の上端面を樹脂製のグローブ受け具２、３に形成した延長片５、６の下面に優先的に接触可能としたことにより、樹脂同士の接触が優先されるため、樹脂の種類で熱膨張率に大差はないことから、異音を低減することができる。また、延長片５、６は各々、孔７、８内にあるため、撓みやすくなり、その分、異音の低減にさらに寄与している。なお、グローブ４の上端面は、延長片５、６に対する接触度合いと比べて、本体１の下面に対して比較的軽度に接してもよいし、あるいは、実質的に非接触でもよい。しかし、防虫性能を考慮すると、グローブ４の上端面は本体１の下面に強く接触しない程度にできるだけ近接している方が好ましい。
【００１１】
次に、図６〜７に示す他の実施形態を説明する。この実施形態では、本体１に前記孔７、８がなく、延長片５、６は本体１の下面に沿って配置されるものである。
【００１２】
この実施形態でも、樹脂製のグローブ４の上端面を樹脂製のグローブ受け具２、３に形成した延長片５、６の下面に優先的に接触可能としており、樹脂同士の接触が優先されるため、樹脂の種類で熱膨張率に大差はないことから、異音を低減することができる。なお、この場合でも、本体１やグローブ４の撓みなどに起因して、グローブ４の上端面が本体１の下面に部分的に軽く接触することもありうる。
【図面の簡単な説明】
【００１３】
【図１】本発明の実施形態の概略を示す分解斜視図
【図２】同要部分解斜視図
【図３】同他の要部分解斜視図
【図４】図２の組立断面図
【図５】図３の組立断面図
【図６】本発明の他の実施形態を示す要部分解斜視図
【図７】同他の要部分解斜視図
【符号の説明】
【００１４】
１  本体
２、３  グローブ受け具
４  グローブ
５、６  延長片
７、８  孔
【図１】
2005038732.tif 000003
【図２】
2005038732.tif 000004
【図３】
2005038732.tif 000005
【図４】
2005038732.tif 000006
【図５】
2005038732.tif 000007
【図６】
2005038732.tif 000008
【図７】
2005038732.tif 000009